(57)【要約】      （修正有）【課題】セル選択のための方法及び装置が開示される。【解決手段】無線通信装置（１１０）が第１のセル（１２０）において動作することができる。第２のセル（１３０）の予想されるデータ速度を判定することができる。その無線通信装置（１１０）は、予想されるデータ速度に基づいて、第１のセル（１２０）から第２のセル（１３０）に切り替わることができる。その無線通信装置（１１０）は、信号強度測定値及びデータ速度情報に基づいて、隣接セル（１３０、１４０、１５０、１６０）の優先順位付きのアクティブリストを作成することができる。【選択図】図１
2006191625.tif 000002
【特許請求の範囲】
【請求項１】
無線通信装置における方法であって、
第１のセルにおいて前記無線通信装置を動作させること、
第２のセルの予想されるデータ速度を判定すること、及び
前記予想されるデータ速度に基づいて前記第１のセルから前記第２のセルに切り替わること
を含む方法。
【請求項２】
パイロット強度測定値及び潜在的な行先セルの前記予想されるデータ速度に基づいて、前記第２のセルを含む前記潜在的な行先セルのリストを作成すること、及び
前記潜在的な行先セルのリストを送信すること
をさらに含む請求項１に記載の方法。
【請求項３】
進行中のパケットデータ通信を開始すること、及び
前記第２のセルの前記予想されるデータ速度が前記第１のセルの現在のデータ速度を超えることを確認することをさらに含み、
前記切り替わることは、前記進行中のパケットデータ通信を継続したまま、前記第１のセルから前記第２のセルに切り替わることをさらに含む請求項１に記載の方法。
【請求項４】
前記第１のセル及び前記第２のセルは、移動体通信用グローバルシステムセル、符号分割多元接続セル、汎用パケット無線サービスセル及び無線ローカルエリアネットワークセルのうちの１つを含む請求項１に記載の方法。
【請求項５】
前記装置は選択呼出受信機を含む請求項１に記載の方法。
【請求項６】
隣接セルリストを受信することであって、該隣接セルリストは、前記第２のセルのデータ速度情報と、出力ヘッドルーム情報と、前記第２のセルの拡散率情報とを含むこと、及び
重み付けされたデータ速度及び重み付けされた信号強度に基づいて、前記隣接セルリストから優先順位付きのリストを作成すること
をさらに含む請求項１に記載の方法。
【請求項７】
前記優先順位付きのリストを作成することは、前記信号強度情報及び前記データ速度情報を統計的に重み付けすることをさらに含み、それによって、前記隣接セルリスト内において他のセルと比べて速いデータ速度に対応する最適なセルを獲得する請求項６に記載の方法。
【請求項８】
前記優先順位付きのリストを作成することは、前記信号強度情報及び前記データ速度情報を統計的に重み付けすることをさらに含み、
前記方法は、統計的に重み付けされた前記信号強度情報及び前記データ速度情報に基づいて前記隣接セルリストを並べることをさらに含む請求項６に記載の方法。
【請求項９】
前記装置に前記第２のセルへのハンドオフを指示するハンドオフコマンドを受信することをさらに含む請求項１に記載の方法。
【請求項１０】
前記第１のセルから前記第２のセルに切り替わることは、
前記第１のセルにおいて基地局とのリンク層接続を解放すること、
前記第１のセルにおいて物理チャネルを切断すること、
前記第２のセルにおいて新たに割り当てられたチャネルに切り替わること、及び
前記第２のセルにおいて下位層接続の確立を開始すること
をさらに含む請求項１に記載の方法。
【請求項１１】
無線通信ネットワークにおける方法であって、
データ速度情報を含む報告を受信すること、
前記データ速度情報を通信装置に送信すること、
少なくとも１つの潜在的なハンドオフセルを含むリストを受信することであって、該リストは前記データ速度情報及び信号強度情報に基づくこと、及び
前記通信装置に前記潜在的なハンドオフセルへのハンドオフを指示するメッセージを送信すること
を含む方法。
【請求項１２】
前記リストを受信することは、前記データ速度情報に少なくとも部分的に基づいて並べられた複数の潜在的なハンドオフセルを含むリストを受信することをさらに含み、
前記メッセージを送信することは、前記潜在的なハンドオフセルの順序に基づいて、前記通信装置に１つの潜在的なハンドオフセルへのハンドオフを指示するメッセージを送信することをさらに含む請求項１１に記載の方法。
【請求項１３】
前記報告を受信することは、データ速度情報を含む報告を連続的に受信することをさらに含む請求項１１に記載の方法。
【請求項１４】
前記報告を受信することは、該報告を周期的に受信することをさらに含む請求項１１に記載の方法。
【請求項１５】
前記データ速度情報を送信することは、隣接セルに関する情報が品質閾値を超えるときに、前記データ速度情報を送信することをさらに含む請求項１１に記載の方法。
【請求項１６】
前記データ速度情報を送信することは、隣接セルのデータ速度が、前記通信装置が動作している現在のセルのデータ速度を所定の量だけ超えるときに、前記データ速度情報を送信することをさらに含む請求項１１に記載の方法。
【請求項１７】
隣接セルは、前記現在のセルと同じシステム上のセル及び前記現在のセルとは異なるシステム上のセルのうちの１つを含む請求項１６に記載の方法。
【請求項１８】
前記データ速度情報を送信することは、前記ネットワーク内の属性が閾値を超えるときに、前記データ速度情報及び無線関連属性を含む隣接セルリストを前記通信装置に送信することをさらに含む請求項１１に記載の方法。
【請求項１９】
前記閾値は、閾値を超える、隣接セルの予想されるデータ速度、及び閾値を超える、２つのセル間の対応するデータ速度の差のうちの１つに基づくものである請求項１８に記載の方法。
【請求項２０】
無線通信装置であって、
第１のセルにおいて前記無線通信装置を動作させるように構成されるトランシーバと、
前記トランシーバに接続されるコントローラと
を備え、該コントローラが、
第２のセルの予想されるデータ速度を判定するように構成されるデータ速度判定モジュールと、
前記予想されるデータ速度に基づいて前記第１のセルから前記第２のセルに切り替わるように構成されるセル切替えモジュールと
を含む無線通信装置。
【請求項２１】
前記コントローラは、パイロット強度測定値及び潜在的な行先セルの前記予想されるデータ速度に基づいて、前記第２のセルを含む前記潜在的な行先セルのリストを作成するように構成されるリスト作成モジュールをさらに含み、
前記トランシーバは、前記潜在的な行先セルのリストを送信するようにさらに構成される請求項２０に記載の無線通信装置。
【請求項２２】
前記コントローラは、前記第２のセルを含む潜在的な行先セルのリストを作成するように構成されるリスト作成モジュールをさらに含み、前記リストは、統計的に重み付けされた信号強度情報及び予想されるデータ速度情報に基づく情報を含み、それによって、前記潜在的な行先セルのリスト内において他のセルと比べて速いデータ速度に対応する最適なセルを獲得する請求項２０に記載の無線通信装置。
【請求項２３】
前記コントローラは周期的に測定を実行し、且つ最も良好な対応するセルを判定するように構成され、
前記コントローラは、サービス提供中のセルの予想されるデータ速度が所定の量だけ低下するときに、アイドルハンドオフ手順を実行するようにさらに構成される請求項２０に記載の無線通信装置。
【請求項２４】
前記コントローラは、前記予想されるデータ速度に基づいてデータダウンロード時間を推定するようにさらに構成される請求項２０に記載の無線通信装置。
【請求項２５】
前記コントローラは、位置指示手順及びグローバルポジショニングシステムのうちの１つに基づいて、現在のセルよりも速いデータ速度を有するセルへの指示を受信するように構成される請求項２０に記載の無線通信装置。
【発明の詳細な説明】
【技術分野】
【０００１】
本開示はセル選択のための方法及び装置に関する。より詳細には、本開示は、セル測定値に基づいて、第１のセルから、選択されたセルに切り替わるためのセルの選択に関する。
【背景技術】
【０００２】
現在、無線通信装置は複数のセルのうちの１つのセルにおいて動作することができ、セル間で切り替わることができる。セル間で切り替わるために、無線通信装置は、ハンドオフできる可能性があるセルを指示するアクティブリストを作成することができる。現在のハンドオフ及びセル切替え手順は信号強度測定値に関連付けられる。たとえば、符号分割多元接続（ＣＤＭＡ）システム又は移動体通信用グローバルシステム（ＧＳＭ）内のハンドオフは主に、無線周波数レベル及び信号品質のような無線サブシステム判定基準と、セル当たりの現在のトラフィック負荷及びメンテナンス要求のようなネットワークによって指示される情報とを基にする。ネットワークは、隣接セルのリストを無線通信装置に提供することができ、無線通信装置は、それらのセルからの無線測定値を取り込む。これらの測定値は、サービスを提供しているセルに定期的に報告される。たとえば、パイロット強度測定値を用いて候補リストが作成され、さらにパイロット強度測定値はネットワークに送信され、必要に応じてハンドオフが実行される。ネットワークが、ハンドオフが必要であると判定するとき、ネットワークは無線通信装置にハンドオフコマンドを送信するであろう。さらに別の例として、広帯域符号分割多元接続（ＷＣＤＭＡ）又は符号分割多元接続−１Ｘ（ＣＤＭＡ−１Ｘ）では、無線通信装置は、条件を満たしている使用可能な候補パイロットのリストをネットワークに送信する。ネットワークはこのリストを用いて、新たなセル上で無線通信装置にハンドオフコマンドを送信することにより、ハンドオフを実行する。ハンドオフコマンドを受信すると、無線通信装置は、現在のセルの古い基地局とのリンク層接続を解放し、物理チャネルを切断し、新たに割り当てられたチャネルに切り替わり、下位層接続の確立を開始するであろう。残念ながら、現在のハンドオフ手順は信号強度測定値に基づくので、それらの手順は、無線通信装置に、意図したターゲットセル上で予想されるデータ速度を保証しない。
【０００３】
またセルラー構成は絶えず変化しており、同じ地理的な地域内で複数の技術的な方式が共存する場合がある。残念なことに、種々の特性を有する複数の、又は単一の技術から成るセル構成では、無線通信装置における信号強度の主な指標が、正確なアクティブリストを作成し、第１のレベルの判定を実施して、ハンドオフを起動するほど十分に統計的ではない可能性がある。たとえば、無線通信装置が測定を実行しており、ネットワーク上の１つのセルにアクティブリストを送信しているとき、その無線通信装置は、潜在的な行先セルの現在のデータ性能を認識していない。
【発明の開示】
【発明が解決しようとする課題】
【０００４】
したがって、ＣＤＭＡ−１Ｘ、ＧＳＭ又は他のシステムのようなシステムにおいて、このネットワーク構成を利用し、エンドユーザにさらに良好な性能を提供することができる高度なハンドオフ又はシステム選択手順が必要とされている。また、移動端末において情報処理能力を高めることによりアドミッションコントロール手順を最適化し、より良好な性能を有するセルを探し出すことも必要とされている。これらの要件及び他の要件は本開示によって実現することができる。
【課題を解決するための手段】
【０００５】
セル選択のための方法及び装置が開示される。無線通信装置が第１のセルにおいて動作することができる。第２のセルの予想されるデータ速度を判定することができる。その無線通信装置は、予想されるデータ速度に基づいて、第１のセルから第２のセルに切り替わることができる。その無線通信装置は、信号強度測定値及びデータ速度情報に基づいて、隣接セルの優先順位付きのアクティブリストを作成することができる。
【発明を実施するための最良の形態】
【０００６】
本開示の実施形態を、添付の図面を参照しながら説明する。なお、図面において、同様の番号は同様の構成要素を指している。
図１は一実施形態によるシステム１００の例示的なブロック図である。システム１００は、少なくとも１つの端末１１０と、現在のセル１２０と、他のセル１３０、１４０、１５０及び１６０とを含むことができる。端末１１０は電話、無線電話、セルラー電話、携帯情報端末、ページャ、パーソナルコンピュータ、移動体通信装置、選択呼出受信機、又は無線ネットワークを含むネットワーク上で通信信号を送受信することができる任意の他の装置を含むことができる。システム１００は、無線信号のような信号を送受信することができる任意のタイプのネットワークを含むことができる。たとえば、システム１００は、無線通信ネットワーク、セルラー電話ネットワーク、衛星通信ネットワーク及び他の類似の通信システムを含む場合がある。さらに、システム１００は、２つ以上のネットワークを含む場合があり、複数の異なるタイプのネットワークを含むこともできる。したがって、システム１００は複数のデータネットワーク、複数の通信ネットワーク、データネットワーク及び通信ネットワークの組み合わせ、並びに通信信号を送受信することができる他の類似の通信システムを含むことができる。
【０００７】
セルは異なるセクタに分割することができる。たとえば、１つのセルが複数のセクタを含む場合がある。セルは、移動体通信用グローバルシステム（ＧＳＭ）セル、符号分割多元接続（ＣＤＭＡ）セル、汎用パケット無線サービス（ＧＰＲＳ）セル、時分割多元接続（ＴＤＭＡ）セル、又は任意の他のタイプのセルの組み合わせにすることができる。たとえば、全てのセルが同じネットワーク上に存在する場合があり、又はセルの種々の組み合わせが異なるネットワーク上に存在する場合がある。
【０００８】
動作時に、端末１１０は現在のセル１２０上で動作することができる。端末１１０又は現在のセル１２０は、測定を行うか、又はデータ速度特性を考慮に入れて、端末１１０を隣接セル１３０に切り替えるか否かを判定することができる。たとえば、隣接セル１３０の信号強度及び／又は潜在的なデータ速度を用いて、端末１１０がセル１３０に切り替えられるべきか否かを判定することができ、且つ／又は端末１１０がどのセルに切り替わるべきかを判定することができる。この判定は、どのセルが、端末１１０との間でデータを送受信するための最も速いデータ速度に対応することができるかに基づくことができる。
【０００９】
たとえば、セル１３０内の１つのセクタ又はセル１３０内の全てのセクタが周期的に、平均データ速度、出力ヘッドルーム、拡散率、及び／又は他の有用な情報を計算し、その結果をセル１３０に報告することができる。そのセクタは、拡散率、符号化率等の、最終的にデータ速度の要因になる可能性がある物理的特性を判定し、その特性をセル１３０に報告することができる。システム１００、システム１００上のコントローラ、又はセル１２０は、各測定値又は任意の測定値に関連する閾値が横切られるときに、又は任意の他の都合の良い時点で、この情報を端末１１０に周期的に送信することができる。たとえば、３ＧＰＰ２標準規格によれば、ネットワークがトラフィックチャネル上で、新たな隣接セルリスト更新メッセージを端末１１０に送信することができる。ネットワークはこの更新を周期的に、又は隣接セル１３０の平均性能が所定の量だけ変化したときに送信することができる。端末１１０は、候補セルの潜在的なデータ速度等の情報に基づいて優先順位を付けられた候補ハンドオフセルのリストのような、現在のセル１２０に送信されるべき優先順位付きのアクティブリストを作成することができる。
【００１０】
アクティブリストを作成することの一部として、端末１１０は、隣接セルにおいてセルの予想されるデータ接続能力の情報を用いることができる。たとえば、端末１１０は、パイロット強度測定値並びに候補セル１３０の予想されるデータ速度、出力ヘッドルーム、拡散率等の組み合わせを用いて、アクティブリストを作成することができる。端末１１０は、より速いデータ速度に対応することに基づいて、及びパイロット強度が、セル１３０をリストに追加できるようにする閾値よりも高いことに基づいて、リスト内のセルに優先順位を付け、且つ／又はリスト内のセルを並べることができる。こうして、端末１１０は、候補セルの潜在的なデータ速度に少なくとも部分的に基づいて、優先順位付きのリストを作成することができる。その後、端末１１０は、高度な、すなわち優先順位付きのアクティブリストを、端末１１０が現時点でセル１２０において動作しているネットワークに対して送信することができる。その後、ネットワークは、優先順位付きのアクティブリストを用いて、ソフトハンドオフ又はハードハンドオフを実行することができる。端末１１０は、複数の隣接セルの測定を実施し、最も速いデータ速度に対応するターゲットセルを生成することができ、アイドルハンドオフ手順を実行することができる。優先順位付きのリストを用いることにより、端末１１０がより速いデータ速度に対応するセルにハンドオフするのを助けることができる。また、優先順位付きのリストを用いることは、ＣＤＭＡ−１Ｘ、ＧＳＭ／汎用パケット無線システム（ＧＰＲＳ）、無線ローカルエリアネットワーク（ＷＬＡＮ）等の種々の技術間で端末をハンドオフするときにも有用であろう。
【００１１】
関連する一実施形態によれば、現在のセル１２０の現在のデータ速度が、隣接セルの予想されるデータ速度と比較される。所定の信号品質閾値を超えており、且つ十分な量だけ現在のセルのデータ速度を越えている隣接セル又はシステムが、端末１１０を起動してハンドオフを要求することができる。たとえば、端末１１０が重なり合うＣＤＭＡ−１Ｘシステム及びＷＣＤＭＡシステムをモニタできる場合には、端末１１０は、ＣＤＭＡ−１Ｘ上で５０ｋｂｐｓを確保することができ、ＷＣＤＭＡネットワークが２００ｋｂｐｓを確保できるという情報をシステム１００から受信することができる。その後、端末１１０はＷＣＤＭＡネットワークを探索することができる。端末１１０がシステム１００によって規定されるネットワークと一致するネットワークを見つける場合には、システム１００にメッセージを送信し、新たなネットワークを検出したことを指示し、より高いスループットを提供することができるネットワークへのハンドオフを要求することができる。こうして、端末１１０は信号強度測定値だけでなく、隣接セルの潜在的なデータ速度にも基づいて、優先順位付きのアクティブリストを作成することができる。優先順位を付けることは、許容できる信号強度帯域に基づくことができ、それは対応するデータ速度に位置付けられることができる。信号強度測定値に重みを統計的に割り当てることができ、信号強度が高いほど大きな重みを与えることができ、信号強度が低くなるのに応じて、重みを減らすことができる。
【００１２】
システム１００は、データをダウンロードするのに要する可能性がある時間の正確な推定値を与えることができる。システム１００はさらに、より良好な品質のセルに端末１１０を誘導するために作成されるべきアプリケーションも提供することができる。たとえば、そのアプリケーションは、端末１１０を、最も近くに位置し、より良好なセル又はホットスポットに誘導することができる。システム１００はさらに、データを端末１１０にダウンロードするのに要する可能性がある時間の正確な推定値を与えることができる。こうして、端末１１０は、他の隣接セルよりも速いデータ速度、又は現在のセル１２０よりも速いデータ速度に対応するセルに端末１１０をハンドオフする際に、ネットワークを助けることができる。
【００１３】
図２は、一実施形態による、端末１１０のような無線通信装置２００の例示的なブロック図である。無線通信装置２００は、ハウジング２１０と、ハウジング２１０に取り付けられるコントローラ２２０と、ハウジング２１０に取り付けられる音声入力及び出力回路２３０と、ハウジング２１０に取り付けられるディスプレイ２４０と、ハウジング２１０に取り付けられるトランシーバ２５０と、ハウジング２１０に取り付けられるユーザインターフェース２６０と、ハウジング２１０に取り付けられるメモリ２７０と、ハウジング２１０及びトランシーバ２５０に取り付けられるアンテナ２８０とを備えることができる。また無線通信装置２００は、データ速度判定モジュール２９０と、セル切替えモジュール２９２とを備えることができる。また無線通信装置２００は、リスト作成モジュール２９４を備えることができる。データ速度判定モジュール２９０、セル切替えモジュール２９２及び／又はリスト作成モジュール２９４は、コントローラ２２０に接続されることができるか、コントローラ２２０内に存在することができるか、メモリ２７０内に存在することができるか、自律モジュールにすることができるか、ソフトウエアにすることができるか、ハードウエアにすることができるか、又は無線通信装置２００上のモジュールのために有用な他の任意の形態で存在することができる。
【００１４】
ディスプレイ２４０には、液晶ディスプレイ（ＬＣＤ）、発光ダイオード（ＬＥＤ）ディスプレイ、プラズマディスプレイ、又は情報を表示するための任意の他の手段を用いることができる。トランシーバ２５０は、送信機及び／又は受信機を含むことができる。音声入力及び出力回路２３０は、マイクロフォン、スピーカ、トランスデューサ、又は任意の他の音声入力及び出力回路を含むことができる。ユーザインターフェース２６０は、キーパッド、ボタン、タッチパッド、ジョイスティック、付加的なディスプレイ、又はユーザと電子装置との間のインターフェースを提供するのに有用な任意の他の装置を含むことができる。メモリ２７０は、ランダムアクセスメモリ、リードオンリーメモリ、光学メモリ、加入者識別モジュールメモリ、又は移動体通信装置に接続することができる任意の他のメモリを含むことができる。
【００１５】
動作時に、トランシーバ２５０が、セル１２０のような第１のセルにおいて無線通信装置２００を動作させることができる。データ速度判定モジュール２９０が、セル１３０のような第２のセルの予想されるデータ速度を判定することができる。リスト作成モジュール２９４が、パイロット強度測定値に基づいて、且つ潜在的な行先セルの予想されるデータ速度に基づいて、セル１３０、１４０、１５０及び１６０のような潜在的な行先セルのリストを作成することができる。そのリストは、統計的に重み付けした信号強度情報及び予想されるデータ速度情報に基づいて、潜在的な行先セルのリスト内において他のセルに比べて速いデータ速度に対応する、セル１３０のような最適なセルを獲得することもできる。トランシーバ２５０は、潜在的な行先セルのリストを現在のセル１２０に送信することができる。現在のセル１２０は、無線通信装置２００にメッセージを送信してセルを切り替えることができる。セル切替えモジュール２９２が、予想されるデータ速度に基づいて、第１のセル１２０から第２のセル１３０に切り替わることができる。
【００１６】
コントローラ２２０はさらに、周期的に測定を実行し、且つ最も良好な対応するセルを判定するように構成することができる。コントローラ２２０はさらに、サービス提供中のセル１２０の予想されるデータ速度が所定の量だけ低下するときに、アイドルハンドオフ手順を実行するように構成することができる。またコントローラ２２０は、予想されるデータ速度に基づいて、データダウンロード時間を推定するように構成することができる。コントローラ２２０はさらに、位置指示手順、グローバルポジショニングシステム、又は任意の他の有用なシステム又は手順に基づいて、現在のセル１２０よりも速いデータ速度を有するセル１３０への指示を受信するように構成することができる。
【００１７】
図３は、一実施形態による無線通信装置２００の動作を示す例示的な流れ図３００である。その流れ図はステップ３１０において開始する。ステップ３２０では、無線通信装置２００が第１のセルにおいて動作することができる。ステップ３３０では、無線通信装置２００が、第２のセルの予想されるデータ速度を判定することができる。ステップ３４０では、無線通信装置２００が、予想されるデータ速度に基づいて、第１のセルから第２のセルに切り替わることができる。第１のセルから第２のセルへの切替えはさらに、必ずしもそうであるとは限らないが、第１のセルにおいて、基地局とのリンク層接続を解放すること、第１のセルにおいて、物理チャネルを切断すること、第２のセルにおいて、新たに割り当てられたチャネルに切り替えること、及び第２のセルにおいて、下位層接続の確立を開始することを含むことができる。ステップ３５０において、その流れ図３００は終了することができる。
【００１８】
図４は、別の実施形態による無線通信装置２００の動作を示す例示的な流れ図４００である。流れ図４００のステップは流れ図３００と組み合わせることができるが、必ずしもそうであるとは限らない。その流れ図はステップ４１０において開始する。ステップ４２０では、無線通信装置２００が、進行中のパケットデータ通信を開始することができるか、又は待ち受け状態に入ることができる。ステップ４３０では、無線通信装置２００が隣接セルリストを受信することができる。隣接セルリストは、第２のセルのデータ速度情報を含むことができ、無線通信装置１１０は、測定を実行して、第２のセルの信号強度情報を判定することができる。ステップ４４０では、無線通信装置２００が、第２のセルの予想されるデータ速度が第１のセルの現在のデータ速度よりも速いことを確認することができる。ステップ４５０では、無線通信装置２００が潜在的な行先セルのリストを作成することができる。たとえば、そのリストは、隣接セルリストに基づいて、且つ重み付けされたデータ速度及び重み付けされた信号強度に基づいて、優先順位を付けられたリストにすることができる。潜在的な行先セルは第２のセルを含むことができる。またそのリストは、パイロット強度測定値に、且つ潜在的な行先セルの予想されるデータ速度に基づくこともできる。また、無線通信装置２００は、信号強度情報及びデータ速度情報を統計的に重み付けすることにより、優先順位付きのリストを作成して、隣接セルリスト内の他のセルと比べて速いデータ速度に対応する最適なセルを獲得することもできる。また無線通信装置２００は、信号強度情報及びデータ速度情報を統計的に重み付けすることにより、その後、統計的に重み付けされた信号強度情報及びデータ速度情報に基づいて、隣接セルリストを並べることにより、優先順位付きのリストを作成することもできる。
【００１９】
ステップ４６０では、無線通信装置２００が潜在的な行先セルのリストを送信することができる。ステップ４７０では、無線通信装置２００が、無線通信装置に第２のセルにハンドオフするように指示するハンドオフコマンドを受信することができる。ステップ４８０では、無線通信装置２００は、進行中のパケットデータ通信を継続しながら、第１のセルから第２のセルに切り替わることができる。ステップ４８０において、その流れ図４００は終了することができる。
【００２０】
図５は、一実施形態による、システム１００におけるセル１２０のようなセルの動作を示す例示的な流れ図５００である。その流れ図はステップ５１０において開始することができる。ステップ５２０では、セル１２０が、そのセルの各セクタから、データ速度情報、出力ヘッドルーム、拡散率及び／又は他の有用な情報を含む報告を受信することができる。その報告は、周期的に受信されることができる。たとえば、セル１２０は、データ速度情報を含む報告を連続的に受信することができる。ステップ５３０では、セル１２０が、データ速度情報を、端末１１０のような通信装置に送信することができる。一例として、セル１２０は、隣接セルに関する情報が品質閾値を超えるときに、データ速度情報を送信することができる。たとえば、セル１２０は、隣接セルのデータ速度が規定されたデータ速度を超えるときに、データ速度情報を送信することができる。さらに別の例として、セル１２０は、隣接セルのデータ速度が現在のセル１２０のデータ速度よりも所定の量だけ速くなるときに、データ速度情報を送信することができる。さらに別の例として、セル１２０は、ネットワーク内の或る属性が閾値を超えるときに、データ速度情報及び無線関連属性を含む隣接セルリストを端末１１０に送信することができる。その閾値は、或る閾値を超える、隣接セルの予想されるデータ速度に、又は或る閾値を超える、２つのセル間の対応するデータ速度の差に、又は任意の他の有用な閾値に基づくことができる。ステップ５４０では、セル１２０が、端末１１０からリストを受信することができ、そのリストはセル１３０のような少なくとも１つの潜在的なハンドオフセルを含む。たとえば、セル１２０は、データ速度情報に少なくとも部分的に基づいて並べられる複数の潜在的なハンドオフセルを含むリストを受信することができる。そのリストは、信号強度情報に少なくとも部分的に基づいて並べられることもできる。ステップ５５０では、セル１２０が、端末１１０に潜在的なハンドオフセルへのハンドオフを指示するメッセージを送信することができる。たとえば、セル１２０は、潜在的なハンドオフセルの順序に基づいて、端末１２０に潜在的なハンドオフセルへのハンドオフを指示するメッセージを送信することができる。別の例として、セル１２０は、周期的に、端末１１０に潜在的なハンドオフセルへのハンドオフを指示するためのメッセージを送信することができる。隣接セルリストは、セル内の任意の閾値が所定の量を超えるときに、端末１１０に送出されることができる。隣接セルは、現在のセルと同じシステム上にあるセル、及び現在のセルとは異なるシステム上にあるセルのうちの１つにすることができる。ステップ５６０において、その流れ図５００は終了する。
【００２１】
図６は、一実施形態による、システム１００と、現在のセル１２０において動作する端末１１０との間の信号の例示的な信号流れ図６００である。ステップ６１０では、システム１００が隣接セルリストを端末１１０に送信することができる。そのリストは、隣接セル毎のデータ速度、出力ヘッドルーム等の付加情報とともに、隣接セルのリストを含むことができる。ステップ６２０では、端末１１０が、そのリスト上の隣接セルの信号強度等の特性の測定を実行することができる。ステップ６３０では、端末１１０が、たとえば、信号強度、データ情報及び他の情報に基づいて優先順位を付け直したリストとともに測定値をシステム１００に送信することができる。ステップ６４０では、優先順位を付け直したリスト内の情報に基づいて、システム１００が、現在のセル１２０とは異なるセル１３０のようなセルにハンドオフするためのメッセージを端末１１０に送信することができる。ステップ６５０では、端末１１０が、許容できる信号強度を有し、他のセル１４０、１５０、１６０及び／又は現在のセル１２０よりも速いデータ速度に対応するセル１３０において、新たに割り当てられたチャネルに切り替わることができる。
【００２２】
図７は、別の関連する実施形態による、システム１００と端末１１０との間の信号の例示的な信号流れ図７００である。ステップ７１０では、システム１００がデータ速度情報を含む隣接セルリストを端末１１０に送信することができる。ステップ７２０では、端末１１０が隣接セルリストに基づいて測定を行うことができる。ステップ７３０では、端末１１０が、信号強度測定値及びデータ速度情報の両方を含むことができる測定値に基づいて、アイドルハンドオフを実施することができる。
【００２３】
本開示の方法はプログラミングされたプロセッサ上で実施されることが好ましい。しかしながら、それらのコントローラ、流れ図及びモジュールは、汎用コンピュータ又は特定用途のコンピュータ、プログラミングされたマイクロプロセッサ又はマイクロコントローラ及び周辺集積回路素子、ＡＳＩＣ又は他の集積回路、個別素子回路のようなハードウエア電子回路又は論理回路、ＰＬＤ、ＰＬＡ、ＦＰＧＡ又はＰＡＬのようなプログラマブル論理デバイス等において実装することもできる。一般的に、図示される流れ図を実施することができる有限状態機械がその上にある任意のデバイスを用いて、本開示のプロセッサ機能を実装することができる。
【００２４】
本開示はその特定の実施形態を用いて説明されてきたが、当業者には数多くの代替形態、変更形態及び変形形態が明らかになることは明白である。たとえば、複数の実施形態の種々の構成要素が、他の実施形態において交換、追加又は置換される場合もある。また、各図の全ての構成要素が、開示される実施形態の動作のために必要であるとは限らない。たとえば、開示される実施形態の当業者であれば、独立請求項の構成要素だけを用いることにより、その開示の教示を作り出し、且つ使用できるようになるであろう。したがって、本明細書に記載されるような開示の好ましい実施形態は例示であり、限定することは意図していない。本開示の精神及び範囲から逸脱することなく、種々の変更を行うことができる。
【図面の簡単な説明】
【００２５】
【図１】一実施形態による、システムの例示的なブロック図である。
【図２】一実施形態による、無線通信装置の例示的なブロック図である。
【図３】一実施形態による、無線通信装置の動作を示す例示的な流れ図である。
【図４】別の実施形態による、無線通信装置の動作を示す例示的な流れ図である。
【図５】一実施形態による、システム上のセルの動作を示す例示的な流れ図である。
【図６】一実施形態による、現在のセル上で動作しているシステムと端末との間の信号の例示的な信号流れ図である。
【図７】別の関連する実施形態による、システムと端末との間の信号の例示的な信号流れ図である。
【図１】
2006191625.tif 000003
【図２】
2006191625.tif 000004
【図３】
2006191625.tif 000005
【図４】
2006191625.tif 000006
【図５】
2006191625.tif 000007
【図６】
2006191625.tif 000008
【図７】
2006191625.tif 000009
【外国語明細書】
2006191625.tif 000010
2006191625.tif 000011
2006191625.tif 000012
2006191625.tif 000013
2006191625.tif 000014
2006191625.tif 000015
2006191625.tif 000016
2006191625.tif 000017
2006191625.tif 000018
2006191625.tif 000019
2006191625.tif 000020
2006191625.tif 000021
2006191625.tif 000022
2006191625.tif 000023
2006191625.tif 000024
2006191625.tif 000025
2006191625.tif 000026
2006191625.tif 000027
2006191625.tif 000028
2006191625.tif 000029
2006191625.tif 000030
2006191625.tif 000031
2006191625.tif 000032